(57)【要約】【要  約】【課題】従来の自動ドアで水槽を組み込んだものは考えられるが、自動ドアに美的感覚を与えてはいて人を楽しませることができる。しかし、人が誤って自動ドアが開かない内に、衝突して怪我をする危険性があった。また、水槽を使うがゆえに硬水を充填していたために、数日間経過すると水垢や苔などができて美しくあるべき水槽をきれいに掃除したりしなくてはならなかった。【解決手段】本発明による水槽を組み込んだ自動ドアは水槽の中に照明装置を配し、照明装置から出る光の色を切換えて常に美的感覚に変化を与え、自動ドアの前に来る人に注意を喚起し、誤って衝突しないようにした。また水槽に充填する水を軟水でしかも硝酸性窒素、亜硝酸性窒素及び有機物を含め１ｍｇ／ｌ以下にしたので苔や水垢のできる可能性を極めて低くすることができた。【選択図】図２
2006104748.tif 000002
【特許請求の範囲】
【請求項１】
間隔をあけて固定された透明板からなる外枠体を含むドア本体と、前記ドア本体を左右に移動させて開閉させる移動手段と、前記外枠体の前記透明板と底蓋部材との間の空間内に充填される水と、前記水の中に気体を送り込み、気泡を発生させる気泡発生器と、前記水を照明し、互いに異なる照明光を有する複数個の照明体と、前記照明体による照明光の発光タイミングまたは発光強度を切り換えて発光させる切換手段とを備えたことを特徴とする自動ドア
【請求項２】
前記水は軟水で且つ硝酸性窒素、亜硝酸性窒素及び有機物を含めて１ｍｇ／ｌ以下の水であることを特徴とする請求項１記載の自動ドア
【請求項３】
前記底蓋部材と前記照明体とをユニット化したことを特徴とする請求項１記載の自動ドア
【請求項４】
前記底蓋部材に前記気泡発生器からの気体を前記水に導くノズルを配するとともに前記ノズルから前記気体が射出する前の位置に、多孔質の充填物を選択的に配し、前記多孔質の充填物の有無またはその種類に応じて前記水の泡の大きさを変えることができることを特徴とする請求項１記載の自動ドア。
【請求項５】
人間が踏むスイッチ部材又は前記人間の近接を検知する検知手段を設け、前記スイッチ部材又は前記検知手段の作動によって前記発光タイミングの切換えを変化させる変化手段を備えたことを特徴とする、請求項１記載の自動ドア。
【請求項６】
前記変化手段は前記照明光を単一照明に切換える単一照明切換手段を含む請求項５記載の自動ドア。
【発明の詳細な説明】
【技術分野】
【０００１】
本発明は、美的および装飾性に優れ且つ長期間水垢、苔等の付着物が付着する可能性の少ない水槽を組み込んだ自動ドア装置に関する。
【背景技術】
【０００２】
特許文献１では、図７に示すとおり、水５２を充填した水槽５１の底面より気泡発生器５４から圧送した空気をノズル５３を通して噴出することで水槽内に水流を発生させ、発生させた水流により水槽５１内の水５２内に配置した擬似模型５６を遊泳させるとともに、水槽５１の上方に設けた光源５５により水槽内を照射したディスプレイ装置を示している。
【０００３】
特許文献２では、図８で示すとおり、人が接近したことを検知し、この検知信号に基づきドア６１を自動的に開閉するようにした自動ドア装置において、前記ドア近傍に、前記検知信号によって動作し、ドアの存在を知らせる認識手段として６２で示し、ドアに警告表示を投影する投影機、６３で示す音声発生器(スピーカー)を設け、例えば、自動ドアに電気が流れることによって色が変化するフィルム等を自動ドアに貼り、また音声で警告することを示している。
【０００４】
また、硬度成分を多量に含んだ原水は、容易に炭酸カルシウム等の結晶であるスケールを発生させ、このスケールが例えば、配管内に堆積し、配管を詰まらせ流量を低下させたりすること、また水槽などの水を軟水化した後に薬剤を使用してバクテリア、藻類、ウイルス、病原体、寄生体及び重金属の除去することは知られていた。
【特許文献１】特開平８−７２４９８公報
【特許文献２】特開２００２−３４１８１４公報
【発明の開示】
【発明が解決しようとする課題】
【０００５】
上述のディスプレイ装置を自動ドアに組み込むことが考えられるが、その自動ドアは、美的感覚を与え、高級感のイメージを与える。しかしながら、前述のように前記擬似模型は自動ドアの中で浮かんだ状態であり、大きな変化が生じないと美的感覚が変化しないので、自動ドアが開いていないときに、人が急いで通過しようとすると衝突してしまい、怪我をするとかドアを壊してしまう危険性があった。
【０００６】
また、水槽では、たとえ濾過しても初めの内はきれいであるが、時間が経つにつれて不純物が固化し、ガラスのような透明体に付着してしまい、前記擬似模型のような楽しいものが見えなくなってくる。それをきれいにしようと掃除するのに手間とか費用がかかるので問題であった。また軟水を水槽の中に薬剤を入れて雑菌を除去する方法はあるが、薬剤を入れること自体は後の水槽の水を廃棄するなど処分するときは何かと公害問題になる危険性があったし、それ自体作業に手間がかかるものであった。
【０００７】
また、自動ドア装置の近傍にドアの存在を知らせる認識手段が備え、自動ドア自体に電気が流れることにより色の変化するフィルムを貼っているが、自動ドア自体にそのようなテープを貼ること自体で美観的に損ない、また剥がれることも考えられ、問題であった。
【０００８】
本発明は、このような従来の構成が有していた問題を解決しようとするものであり、美的にも常に変化を与えることにより、従来の自動ドアに組み込まれるような水槽に対して自動ドアが閉じた状態で、人が不用意に衝突したりしないようにし、また水垢、苔のような付着物が長期間にわたっても付着する可能性が低く、水槽の清掃に手間とか費用をできるだけ削減することを実現することを目的とするものである。
【課題を解決するための手段】
【０００９】
本発明は、上記目的を達成するために、間隔をあけて固定された透明板からなる外枠体を含む自動ドアで、前記透明板間の空間内に水を充填し、前記水の中に気体を吹き込んで気泡を発生させるとともに、互いに異なる照明光を有する複数個の照明体の、発光タイミングを例えば一秒毎に切換えて照明または発光強度を切換えて変化させる装置を提供するものである。
【００１０】
また、水は軟水で且つしかも硝酸性窒素、亜硝酸性窒素及び有機物を含めて１ｍｇ／ｌ以下の水を採用する。
【００１１】
また、人間の近接物の距離に応じて前記水槽または自動ドアの距離に応じて照明体の発光タイミングまたは強度を変化させる、または警告色の赤一色にする構成にしたものである。
【発明の効果】
【００１２】
上述したように本発明は、透明板からなる外枠体の水槽に照明光を与える照明体の発光タイミング乃至は強度を変化させて行なうので美的にも装飾的にも優れ、また照明の感じを変化させ、人間等の近接物が不用意に衝突するのを防止する効果を有する。
【００１３】
更に水槽に注入する水を軟水で且つ硝酸性窒素、亜硝酸性窒素及び有機物を含めて１ｍｇ／ｌ以下の水を用いるので、長期間にわたって、水垢、苔のような付着物が付着する可能性が低く、水槽の清掃の手間とか費用を削減できる効果を有する。
【発明を実施するための最良の形態】
【００１４】
以下、本発明の実施の形態を図１〜図６に基づいて説明する。
【００１５】
図１において１は自動ドアで、自動ドアには２で示す水槽が組み込まれている。自動ドア１は人間がその前に立つと、不図示の移動手段により自動ドア１が開閉される。
【００１６】
図２は水槽２を詳細に示すもので、３は透明板例えば透明プラスチックからなる外枠体で、４は外枠体に取り付けられる上蓋で、５は外枠体１の底部から取り付けられる底蓋部材であり、外枠体３と上蓋４と底蓋部材５からできた空間に６で示す水が充填されている。７は気泡発生器であって、気泡発生器７から送られる空気は８で示すパイプから９で示すバルブを介して、不図示のノズルより外枠体３と上蓋４、底蓋部材５からなる箱体の中に充填されている水の中に送られる。バルブ９は水６に送られる気体の流量を調整する作用を行なう。底蓋部材５は図面のようにＴ型構造で外枠体３の内部に不図示のパッキン等の防水部材を介して嵌合している。底蓋部材５は透明部品から作られていているので後述の照明体の光が透過して水６の中に光線を描く。パイプ８には空気が通過する８Ａで示す孔が設けられており、底蓋部材５にも孔８Ａに対応して５Ａで示す孔が設けられている。
【００１７】
１０は赤色、緑色、青色の光を放つ照明体で群に分かれて配置しているが、１１で示す基板に配置されていて、赤色、青色、緑色の照明体は、例えばＬＥＤ、ＥＬのような発光体でも、それぞれの照明体は同一で赤、青、緑色のフィルターを照明体の前に配してそれぞれの色の光が射出するようにしてもよい。また基板１１には前述の底蓋部材５と同様に空気の通過する、１１Ａで示す孔が、パイプ８の孔８Ａに対応して設けられている。また、底蓋部材５には破線でしめした５Ｂで示した溝が設けられている。基板１１には、照明体１０が設けられていて基板１１を底蓋部材５に取り付けた際に溝５Ｂが基板１１から突出した照明体１０の逃げ溝となり、基板１１と底蓋部材５とは一体に位置決めして不図示のビス等で固定するので基板１１の孔１１Ａと底蓋部材５の孔５Ａが対応関係にある。
【００１８】
図３はバルブ９で調整された空気を１２で示すホースを底蓋部材５に固定しホース１２には１３で示すノズルが設けられている図を示す。ノズル１３の先端は先細になっていて空気を勢いよく出す形状になっている。ただ、空気が勢いよく出ることを好む場合と、泡がたくさん出てくるのを好む場合があり、後者の場合は、そのためにノズル１３の内部に１４で示す多孔質の充填物をいれてバルブ９で調整された空気は多くの孔に分散されて泡をつくり、多孔質の充填物の有無または種類に応じて泡の大きさを変えることができる。
【００１９】
図４は底蓋部材に対して基板１１を用いずに照明体１０を直接、底蓋部材の溝５Ｂに貼り付けた図を示す。底蓋部材には孔５Ａがあるが、孔５Ａを避けた位置に照明体を貼り付ける。これによって基板１１を省くことができる。
【００２０】
図２の状態も図４の状態も底蓋部材と照明体とは一体化されたユニットとして構成され、そのユニットとして調整でき、しかも外枠部材３と底蓋部材５とは嵌合状態で一体化されるので照明体１０の外枠部材３に対する位置変化はなく、正規な位置に取り付けられる。
【００２１】
図５は本発明を実施する回路図であり、照明体１０は赤色、緑色、青色とあり、それぞれ赤色照明体はＲ１、Ｒ２、Ｒ３、緑色照明体はＧ１、Ｇ２、Ｇ３で示し、青色照明体はＢ１、Ｂ２、Ｂ３で示す。１５は制御回路で、制御回路１５にはＯＲ、ＯＧ、ＯＢで示す出力端子を備え、赤色を示す赤色照明体Ｒ１、Ｒ２、Ｒ３には出力端子ＯＲが、緑色照明体Ｇ１、Ｇ２、Ｇ３には出力端子ＯＧが、青色照明体Ｂ１、Ｂ２、Ｂ３には出力端子ＯＢが接続されている。制御回路はタイマーが設けられ、所定時間毎に出力端子ＯＲ、ＯＧ、ＯＢからhigh信号が出てそれぞれの出力端子に接続した照明体が発光する。赤色、緑色、青色の照明体が所定時間毎に発光して自動ドアの装飾になると同時にただのガラスのような透明体でなくガラスの存在を認識させることができる。１３は後述の近接物体検知器であり、近接物体検出器１６は人間が自動ドアに近づいたときに制御回路１５のＤＳで示す入力端子に近距離信号を供給する。
【００２２】
図６では、自動ドア１の近傍の９で示す天井には、近接物体検知器１６が設けられ、１６Ａで示す赤外投光器と１６Ｂで示す受光器から構成されている。自動ドア１に近づいた１７で示す人間との距離を赤外投光器１６Ａから人間１７に投光されて、人間１７で反射され、受光器１６Ｂで検知される時間を演算することによって測定される。
【００２３】
前述したように、自動ドアと人間との距離が前記所定の距離範囲に入ったときは制御回路１５に近距離信号が端子ＤＳに、距離より以遠のときは点灯周期が等しかったところ、距離が前記距離範囲に入ると、点灯変化の周期が不規則になり、人間１７が自動ドア１に近づいたことを警告し、そのまま歩いて衝突するのを警告する。または一般には警告色である全面を真っ赤な色にするように照明体Ｒを点灯させても同じ効果を発揮する。
【００２４】
また、照明体の発光強度を大きく変化させても同じ効果を発揮する。
【００２５】
上記では照明体の点灯変化で近距離であることを示したが、バルブからの気体の量も変化させ、大きな泡を出すなどして更に近距離であることを示すことができる。
【００２６】
また、自動ドアと人間の距離を測る代わりに自動ドアの通路に不図示のスイッチ板を置き、そのスイッチ板を踏むことにより人間が前記所定の距離の範囲に入ったことを検知してもよい。
【００２７】
いま、自動ドアと人間との距離が所定の距離の範囲に入ったかどうかで照明体の点灯・消灯を切換えることで点灯変化の周期を不規則にすることを行なったが、距離を実測し、距離に応じて照明体の点灯状態を徐々に変化させても自動ドアに近づく人間にとって変化を感じて自動ドアの存在に気づくことになり、効果を有する。
【００２８】
本発明では水槽２に充填する水を軟水でしかも硝酸性窒素、亜硝酸性窒素及び有機物を含めて１ｍｇ／ｌ以下の水を採用し、硬度の高い水の時に蓄積される炭酸カルシウム等の心配がなく、さらに有機物等の栄養素がほとんどないので苔とか水垢が水槽２の内面を汚す可能性が少なく、極めて長い期間にわたって水槽の内面の掃除などする必要はなくいつまでも美的な自動ドアとなり、さらに色を複数に変えて目立つようにするので自動ドアに対して人間が衝突する危険性を少なくする効果を有している。
【図面の簡単な説明】
【００２９】
【図１】本発明の自動ドアと水槽の関係を示す図面
【図２】本発明の自動ドアの構造図
【図３】本発明の自動ドアのノズルの詳細図
【図４】本発明の自動ドアの照明体を底蓋部材に直接取り付けた図
【図５】本発明の照明体の回路図
【図６】本発明の自動ドアの近接物体検知器と人間の関係図
【図７】従来の水槽を用いたディスプレイ装置を示す図面
【図８】従来の近接物体検知時の警告表示装置
【符号の説明】
【００３０】
自動ドア・・・・・・１
水槽・・・・・・・・２
底蓋部材・・・・・・５
水・・・・・・・・・６
気泡発生器・・・・・７
照明体・・・・・・１０
多孔質の充填物・・１４
近接物体検出器・・１６
【図１】
2006104748.tif 000003
【図２】
2006104748.tif 000004
【図３】
2006104748.tif 000005
【図４】
2006104748.tif 000006
【図５】
2006104748.tif 000007
【図６】
2006104748.tif 000008
【図７】
2006104748.tif 000009
【図８】
2006104748.tif 000010